(57)【特許請求の範囲】
【請求項１】
メール本文及びタイトルを含む電子メールを受信するメール受信手段と、
受信した電子メールに含まれるタイトルを格納するタイトル格納手段と、
呼出信号の発信時に、ユーザ操作に基づいて選択される文字情報を発信先電話機へ送信する文字情報送信手段と、
上記タイトル格納手段に格納されているタイトルを選択するタイトル選択手段と、
発信先電話機の電話番号及びメールアドレスを対応付けて記憶している発信先情報記憶手段と、
呼出信号の発信時に、発信先電話機の電話番号に対応するメールアドレスを上記発信先情報記憶手段から読み出すメールアドレス読出手段とを備え、
上記文字情報送信手段は、上記タイトル選択手段により選択されたタイトルを文字情報として発信先電話機へ送信し、
上記タイトル選択手段は、上記メールアドレス読出手段により読み出したメールアドレスから既に受信している電子メールに含まれるタイトルを、上記タイトル格納手段から選択することを特徴とする電話機。
【請求項２】
上記タイトル選択手段は、上記メールアドレス読出手段により読み出したメールアドレスから既に受信している電子メールに含まれるタイトルが、上記タイトル格納手段に複数格納されている場合に、最新のタイトルを上記タイトル格納手段から選択することを特徴とする請求項１に記載の電話機。
【請求項３】
上記メールアドレス読出手段により読み出したメールアドレスから既に受信している電子メールに含まれるタイトルが、上記タイトル格納手段に複数格納されている場合に、それらの複数のタイトルのうち少なくとも２つを表示させるタイトル表示手段と、
ユーザ操作に基づいて、上記タイトル表示手段により表示されているタイトルのいずれかを指定するタイトル指定手段とを備え、
上記タイトル選択手段は、上記タイトル指定手段により指定されたタイトルを上記タイトル格納手段から選択することを特徴とする請求項１に記載の電話機。
【発明の詳細な説明】
【技術分野】
【０００１】
本発明は、電話機に係り、さらに詳しくは、呼出信号の発信時に発信先電話機へ文字情報を送信することができる電話機に関する。
【背景技術】
【０００２】
携帯電話機などの電話機の中には、電子メールを送受信できるようになっているものがある（例えば、特許文献１）。一般的に、電子メールは、ユーザが任意に入力した文字列であるメール本文及びタイトルからなる。従来の電話機においては、例えば、受信した電子メールに対する返信メールを作成する際、電子メールを作成するためのアプリケーションの起動に伴って、受信した電子メールに含まれるタイトルに対して、「Ｒｅ：」という文字が先頭に付されたタイトルが自動的に設定されるようになっている。このような構成によれば、返信メールを受信した端末のユーザは、自らが送信した電子メールに対する返信メールである旨を認識でき、便利である。
【０００３】
一方で、このような電子メールの送受信とは異なる技術として、呼出信号の発信時に、ユーザによる入力操作に基づいて文字情報を送信することにより、発信先電話機の表示部に文字情報を表示させることができるような技術が提案されている（例えば、特許文献２）。
【特許文献１】特開２００５−２６０５５５号公報
【特許文献２】特開２０００−９２１９２号公報
【発明の開示】
【発明が解決しようとする課題】
【０００４】
しかし、上記のような文字情報を送信する技術を利用する場合、呼出信号の発信時に、わざわざ文字情報を入力しなければならず煩わしいという問題が生じるおそれがある。特に、受信した電子メールに対する応答を発信先電話機との通話により行おうとする場合、その電子メールに対する応答である旨を認識できるような文字情報をわざわざ入力するのは面倒である。
【０００５】
本発明は、上記の事情に鑑みてなされたものであり、呼出信号の発信時に文字情報を送信する際の入力操作を簡略化できる電話機を提供することを目的とする。
【課題を解決するための手段】
【０００６】
第１の本発明による電話機は、メール本文及びタイトルを含む電子メールを受信するメール受信手段と、受信した電子メールに含まれるタイトルを格納するタイトル格納手段と、呼出信号の発信時に、ユーザ操作に基づいて選択される文字情報を発信先電話機へ送信する文字情報送信手段と、上記タイトル格納手段に格納されているタイトルを選択するタイトル選択手段と、発信先電話機の電話番号及びメールアドレスを対応付けて記憶している発信先情報記憶手段と、呼出信号の発信時に、発信先電話機の電話番号に対応するメールアドレスを上記発信先情報記憶手段から読み出すメールアドレス読出手段とを備え、上記文字情報送信手段は、上記タイトル選択手段により選択されたタイトルを文字情報として発信先電話機へ送信し、上記タイトル選択手段は、上記メールアドレス読出手段により読み出したメールアドレスから既に受信している電子メールに含まれるタイトルを、上記タイトル格納手段から選択するように構成される。
【０００７】
このような構成により、呼出信号の発信時に、既に受信している電子メールに含まれるタイトルを文字情報として選択し、送信することができる。したがって、呼出信号の発信時に、発信先電話機から受信している電子メールに含まれるタイトルを文字情報として送信すれば、発信先電話機において、自らが送信した文字情報に対する返答である旨を認識することができる。これにより、受信した電子メールに対する応答を発信先電話機との通話により行おうとする場合、その電子メールに対する応答である旨を認識できるような文字情報をわざわざ入力する必要がなく、呼出信号の発信時に文字情報を送信する際の入力操作を簡略化できる。
【００１１】
また、呼出信号の発信時に、発信先電話機の電話番号に対応するメールアドレスから既に受信している電子メールに含まれるタイトルを文字情報として選択し、送信することができる。これにより、発信先電話機の電話番号を指定する操作を行うだけで、その発信先電話機から既に受信している電子メールのタイトルを文字情報として自動的に送信することができるので、入力操作をさらに簡略化できる。
【００１２】
第２の本発明による電話機において、上記タイトル選択手段は、上記メールアドレス読出手段により読み出したメールアドレスから既に受信している電子メールに含まれるタイトルが、上記タイトル格納手段に複数格納されている場合に、最新のタイトルを上記タイトル格納手段から選択するように構成される。
【００１３】
このような構成により、発信先電話機の電話番号を指定する操作を行うだけで、その発信先電話機から既に受信している電子メールのうち、最新の電子メールのタイトルを文字情報として自動的に送信することができるので、入力操作をさらに簡略化できる。
【００１４】
第３の本発明による電話機は、上記メールアドレス読出手段により読み出したメールアドレスから既に受信している電子メールに含まれるタイトルが、上記タイトル格納手段に複数格納されている場合に、それらの複数のタイトルのうち少なくとも２つを表示させるタイトル表示手段と、ユーザ操作に基づいて、上記タイトル表示手段により表示されているタイトルのいずれかを指定するタイトル指定手段とを備え、上記タイトル選択手段は、上記タイトル指定手段により指定されたタイトルを上記タイトル格納手段から選択するように構成される。
【００１５】
このような構成により、発信先電話機の電話番号を指定する操作を行うことにより、その発信先電話機から既に受信している電子メールのタイトルを複数表示させ、それらのタイトルのいずれかを文字情報として選択して送信することができるので、入力操作をさらに簡略化できる。
【発明の効果】
【００１６】
本発明によれば、呼出信号の発信時に、既に受信している電子メールに含まれるタイトルを文字情報として選択し、送信することができる。これにより、受信した電子メールに対する応答を発信先電話機との通話により行おうとする場合、その電子メールに対する応答である旨を認識できるような文字情報をわざわざ入力する必要がなく、呼出信号の発信時に文字情報を送信する際の入力操作を簡略化できる。
【発明を実施するための最良の形態】
【００１７】
実施の形態１．
図１は、本発明の実施の形態１による電話機の一例を示したブロック図であり、電話機の一例として携帯電話機１が示されている。この携帯電話機１は、プロセッサからなる制御部２、並びに、この制御部２によりそれぞれ制御可能な通信部３、表示部４、操作部５、受話用レシーバ６、送話用マイクロホン７、着信情報格納部８、受信メール情報格納部９及び電話帳記憶部１０を備えている。制御部２は、電話信号生成部２１、文字情報生成部２２、メール生成部２３、着信情報閲覧画面表示制御部２４、メール閲覧画面表示制御部２５、電話番号指定部２６及びメールアドレス指定部２７を備えている。
【００１８】
通信部３には、電話信号送受信部３１、文字情報送受信部３２及びメール送受信部３３が備えられている。電話信号送受信部３１、文字情報送受信部３２及びメール送受信部３３は、共通のアンテナ３４を介して基地局（図示せず）との間で無線信号を送受信することができるようになっている。ただし、共通のアンテナ３４が使用されるような構成に限らず、電話信号送受信部３１、文字情報送受信部３２及びメール送受信部３３の少なくとも１つが、他とは異なるアンテナを介して無線信号の送受信を行うようになっていてもよい。
【００１９】
電話信号送受信部３１は、呼出信号を送受信することができる。呼出信号には、その呼出信号を発信する電話機の電話番号のデータが含まれている。電話信号送受信部３１から呼出信号を発信すると、発信先電話機において呼出信号の着信を知らせる着信処理が行われ、電話信号送受信部３１で呼出信号を着信すると、当該携帯電話機１において呼出信号の着信を知らせる着信処理が行われる。着信処理は、例えば音や振動等を発生させることにより行われる。着信処理により呼出信号の着信に気付いたユーザが、操作部５を用いて応答操作を行うと、着信処理が終了して通話状態が確立されることとなる。
【００２０】
通話状態が確立された状態では、電話信号送受信部３１で音声信号を送受信することにより通話を行うことができる。このとき、当該携帯電話機１のユーザの音声が送話用マイクロホン７を介して音声信号に変換され、電話信号送受信部３１から送信されるとともに、電話信号送受信部３１で受信した音声信号に基づく相手方の音声が、受話用レシーバ６から出力される。電話信号送受信部３１から送信される呼出信号及び音声信号は、電話信号生成部２１において生成される。
【００２１】
文字情報送受信部３２は、呼出信号の発信時に、ユーザ操作により指定された文字情報を発信先電話機へ送信することができる。すなわち、ユーザが操作部５を操作することにより文字情報を指定するとともに、発信先電話機の電話番号を指定して呼出信号を発信することにより、指定した文字情報を呼出信号とともに発信先電話機へ送信することができる。これにより、その文字情報が発信先電話機において着信文字として受信され、当該発信先電話機の表示部に受信した着信文字が表示される。文字情報送受信部３２から送信される文字情報は、文字情報生成部２２において生成される。
【００２２】
また、文字情報送受信部３２は、呼出信号の着信時に、発信元電話機においてユーザ操作により指定された文字情報を着信文字として受信することができる。すなわち、発信元電話機においてユーザ操作により文字情報が指定されるとともに、当該携帯電話機１の電話番号が指定されて呼出信号が発信された場合に、指定された文字情報を呼出信号とともに受信し、その文字情報を着信文字として表示部４に表示することができる。
【００２３】
このような文字情報の送受信は、呼出信号の発信時に任意に設定した文字を送信するサービスの規格「３Ｇ  ＴＳ２４．００８」で規定された「Ｌｏｃｋｉｎｇ  ｓｈｉｆｔ  ｐｒｏｃｅｄｕｒｅ」により実現することができる。この場合、文字情報送受信部３２は、文字情報生成部２２において生成された文字情報を「Ｌｏｃｋｉｎｇ  Ｓｈｉｆｔ  Ｃｏｄｅｓｅｔ７」に設定して送信することとなる。本実施の形態において、文字情報送受信部３２において送受信可能な文字情報の文字数は、例えば１０文字以内であり、後述する電子メールにより送信可能な文字数よりも少ない文字数に設定されている。また、文字情報送受信部３２における文字情報の送受信に対しては、電子メールの送信又は受信とは異なり、課金処理が行われないようになっている。
【００２４】
メール送受信部３３は、文字情報送受信部３２とは別のモジュールにより構成されており、電子メールを送受信することができる。電子メールのデータには、メール本文、タイトル及び送信元のメールアドレスのデータが含まれている。ユーザは、操作部５を操作することにより、それぞれ任意の文字列からなるメール本文及びタイトルを入力し、それらのデータを電子メールとしてメール送受信部３３から送信することができる。メール送受信部３３から送信されるメール本文及びタイトルは、メール生成部２３において生成される。
【００２５】
着信情報格納部８は、着信履歴格納部８１及び着信文字格納部８２を備えている。電話信号送受信部３１において呼出信号を着信した場合には、その呼出信号に含まれる電話番号のデータに基づいて、発信元電話機の電話番号が着信履歴として着信履歴格納部８１に格納される。また、呼出信号の着信時に、文字情報送受信部３２において着信文字を受信した場合には、その着信文字が着信履歴に対応付けて着信文字格納部８２に格納される。着信文字格納部８２に格納される着信文字は、その着信文字を受信した日時が遅いものほど新しい着信文字として認識できるように格納される。
【００２６】
着信履歴格納部８１に格納されている電話番号は、ユーザによる操作部５の操作に基づいて、着信情報閲覧画面表示制御部２４が表示部４に表示させることができる。また、その電話番号からの呼出信号の着信時に着信文字を受信している場合には、着信文字格納部８２に格納されているその着信文字も電話番号とともに表示部４に表示させることができる。
【００２７】
受信メール情報格納部９は、メール本文格納部９１、タイトル格納部９２及びメールアドレス格納部９３を備えている。メール送受信部３３において電子メールを受信した場合には、受信したデータからメール本文、タイトル及び送信元のメールアドレスが抽出され、それらのデータがメール本文格納部９１、タイトル格納部９２及びメールアドレス格納部９３にそれぞれ対応付けて格納される。受信メール情報格納部９に格納されるデータは、そのデータを受信した日時が遅いものほど新しいデータとして認識できるように格納される。
【００２８】
メール本文格納部９１に格納されているメール本文、及び、そのメール本文に対応付けてタイトル格納部９２に格納されているタイトルは、ユーザによる操作部５の操作に基づいて、メール閲覧画面表示制御部２５が表示部４に表示させることができる。
【００２９】
電話帳記憶部１０は、名前記憶部１０１、電話番号記憶部１０２及びメールアドレス記憶部１０３を備えている。電話番号記憶部１０２には、他の電話機の電話番号を記憶させておくことができ、メールアドレス記憶部１０３には、他の電話機のメールアドレスを、その電話機の電話番号に対応付けて記憶させておくことができる。名前記憶部１０１には、電話番号記憶部１０２に記憶されている電話番号又はメールアドレス記憶部１０３に記憶されているメールアドレスに対応する相手方の名前を記憶することができる。
【００３０】
電話帳記憶部１０は、呼出信号の発信時には、発信先電話機の電話番号及びメールアドレスを対応付けて記憶している発信先情報記憶手段として機能し、呼出信号の着信時には、発信元電話機の電話番号及びメールアドレスを対応付けて記憶している発信元情報記憶手段として機能することとなる。
【００３１】
電話番号指定部２６は、操作部５を用いてユーザにより直接入力された電話番号を指定することができるとともに、ユーザによる操作部５の操作に基づいて、電話番号記憶部１０２に記憶されている電話番号を指定することができる。電話信号送受信部３１は、電話番号指定部２６により指定された電話番号へ呼出信号を発信する。
【００３２】
メールアドレス指定部２７は、操作部５を用いてユーザにより直接入力されたメールアドレスを指定することができるとともに、ユーザによる操作部５の操作に基づいて、メールアドレス記憶部１０３に記憶されているメールアドレスを指定することができる。メール送受信部３３は、メールアドレス指定部２７により指定されたメールアドレスへ電子メールを送信する。
【００３３】
図２は、呼出信号の着信時に着信文字を受信した場合における表示部４の表示態様の一例を示した図である。この例では、呼出信号の着信時に、発信元電話機においてユーザ操作により指定された文字情報を着信文字として受信した場合、その呼出信号に対する着信処理中に、受信した着信文字が表示部４に表示されるようになっている。図２では、発信元電話機において、「おはようございます。」という文字情報が着信文字として選択された場合を示している。
【００３４】
呼出信号に対する着信処理中、表示部４には、発信元電話機の電話番号が表示される。このとき、発信元電話機の電話番号が電話帳記憶部１０の電話番号記憶部１０２に記憶されており、その電話番号に対応する相手方の名前が名前記憶部１０１に記憶されている場合には、その相手方の名前も表示部４に表示されるようになっている。このように、受信した着信文字を着信処理中に表示部４に表示させることにより、当該携帯電話機１のユーザは、着信文字に基づいて電話の用件を予め認識した上で、呼出に応答することができる。
【００３５】
図３は、着信情報閲覧画面表示制御部２４が表示部４に表示させる着信情報閲覧画面の一例を示した図である。この例では、図３（ａ）及び（ｂ）に示すように、各着信時における発信元電話機の電話番号が、着信履歴として着信情報閲覧画面に表示される。このとき、発信元電話機の電話番号が電話帳記憶部１０の電話番号記憶部１０２に記憶されており、その電話番号に対応する相手方の名前が名前記憶部１０１に記憶されている場合には、その相手方の名前も表示部４に表示されることとなる。
【００３６】
呼出信号の着信時に着信文字を受信している場合には、その着信文字も着信情報閲覧画面に表示される。図３（ａ）では、発信元電話機において、「おはようございます。」という文字情報が着信文字として選択された場合を示しており、図３（ｂ）では、発信元電話機において、「なにしてるの？」という文字情報が着信文字として選択された場合を示している。
【００３７】
図３の例では、１回の着信ごとに別々の着信情報閲覧画面で着信履歴を表示部４に表示させるようになっている。ユーザは、操作部５を操作することにより、表示部４に表示させる着信情報閲覧画面を切り替えることができるようになっている。図３（ａ）又は（ｂ）に示すように、いずれかの着信時の着信情報閲覧画面を表示部４に表示させた状態で、ユーザは操作部５を操作することにより、表示されている電話番号を指定して呼出信号を送信することができる。
【００３８】
ただし、図３に示すように、１回の着信ごとに別々の着信情報閲覧画面で着信履歴を表示部４に表示させるような構成に限らず、複数回分の着信履歴を表示部４に表示させることができるようになっていてもよい。この場合、ユーザが操作部５を操作することにより、表示部４に表示されているいずれかの着信履歴を選択し、その着信履歴に対応する発信元電話機の電話番号を指定して呼出信号を送信することができるようになっていてもよい。
【００３９】
図４は、メール閲覧画面表示制御部２５が表示部４に表示させるメール閲覧画面の一例を示した図である。この例では、受信したメールに含まれるメール本文及びタイトルが、メール閲覧画面として表示部４に表示されるようになっている。このとき、送信元のメールアドレスが電話帳記憶部１０のメールアドレス記憶部１０３に記憶されており、そのメールアドレスに対応する相手方の名前が名前記憶部１０１に記憶されている場合には、その相手方の名前も表示部４に表示されることとなる。
【００４０】
図４に示すように、受信したいずれかの電子メールのメール閲覧画面を表示部４に表示させた状態で、ユーザは操作部５を操作することにより、その電子メールの送信元のメールアドレスを指定して返信メールを送信することができる。図４の例では、メール閲覧画面としてメール本文及びタイトルが表示部４に表示されるようになっているが、このような構成に限らず、タイトルはメール閲覧画面に表示されないようになっていてもよい。
【００４１】
図５は、文字情報生成部２２が文字情報を生成する際の動作の一例を示したブロック図である。文字情報生成部２２は、操作部５を用いたユーザによる入力操作に基づいて、任意の文字列からなる文字情報を生成することができる。文字情報生成部２２には、タイトル選択部２２Ａが備えられており、受信メール情報格納部９のタイトル格納部９２に格納されているタイトルをタイトル選択部２２Ａで選択して、そのタイトルからなる文字情報を生成することもできるようになっている。
【００４２】
本実施の形態では、図４に示すように表示部４にメール閲覧画面が表示された状態で、ユーザは、操作部５を操作することにより電話番号を指定することができる。この電話番号の指定は、ユーザが操作部５を操作して電話番号を直接入力することにより行われてもよいし、ユーザが操作部５を操作して電話帳記憶部１０の電話番号記憶部１０２から電話番号を読み出すことにより行われてもよい。
【００４３】
図６は、文字情報送受信部３２から文字情報が送信される際の処理の一例を示したフローチャートである。図５及び図６に示すように、メール閲覧画面表示制御部２５が、受信メール情報格納部９に格納されているデータに基づいて表示部４にメール閲覧画面を表示させているときに（ステップＳ１０１でＹｅｓ）、ユーザによる操作部５の操作に基づいて電話番号指定部２６が電話番号を指定すると（ステップＳ１０２でＹｅｓ）、表示中のメール閲覧画面に対応する電子メールのタイトルがタイトル選択部２２Ａにより選択され、受信メール情報格納部９のタイトル格納部９２から読み出される（ステップＳ１０３）。
【００４４】
文字情報生成部２２は、タイトル格納部９２から読み出されたタイトルを文字情報として選択し（ステップＳ１０４）、その後にユーザが操作部５を操作することにより、指定された電話番号へ呼出信号が発信されると（ステップＳ１０５でＹｅｓ）、選択された文字情報が着信文字として指定された電話番号へ送信される（ステップＳ１０６）。
【００４５】
本実施の形態では、呼出信号の発信時に、既に受信している電子メールに含まれるタイトルを文字情報として選択し、送信することができる。したがって、呼出信号の発信時に、発信先電話機から受信している電子メールに含まれるタイトルを文字情報として送信することにより、発信先電話機において、自らが送信した文字情報に対する返答である旨を認識することができる。これにより、受信した電子メールに対する応答を発信先電話機との通話により行おうとする場合、その電子メールに対する応答である旨を認識できるような文字情報をわざわざ入力する必要がなく、呼出信号の発信時に文字情報を送信する際の入力操作を簡略化できる。
【００４６】
特に、本実施の形態では、メール閲覧画面の表示中に発信先電話機の電話番号が指定され、その発信先電話機へ呼出信号が発信される場合に、表示中のメール閲覧画面に対応する電子メールのタイトルを文字情報として選択し、送信することができる。したがって、受信した電子メールに対する応答を発信先電話機との通話により行おうとする場合、その電子メールのメール閲覧画面から発信先電話機の電話番号を指定する操作を行うだけで、発信先電話機からの電子メールのタイトルを文字情報として自動的に送信することができるので、入力操作をさらに簡略化できる。
【００４７】
実施の形態２．
実施の形態１では、メール閲覧画面の表示中に発信先電話機の電話番号が指定された場合に、表示中のメール閲覧画面に対応する電子メールのタイトルが文字情報として選択され、送信されるような構成について説明した。これに対して、実施の形態２では、発信先電話機の電話番号が指定された場合に、その電話番号に対応するメールアドレスを電話帳記憶部１０から読み出し、そのメールアドレスから既に受信している電子メールのうち最新の電子メールに含まれるタイトルが文字情報として選択され、送信されるようになっている。
【００４８】
図７は、本発明の実施の形態２において文字情報生成部２２が文字情報を生成する際の動作の一例を示したブロック図である。また、図８は、本発明の実施の形態２において文字情報送受信部３２から文字情報が送信される際の処理の一例を示したフローチャートである。実施の形態２では、制御部２にメールアドレス読出部２８が備えられている点、及び、文字情報生成部２２が行う処理が実施の形態１とは相違しているが、他の構成については実施の形態１と同様である。
【００４９】
図７及び図８に示すように、ユーザによる操作部５の操作に基づいて電話番号指定部２６が電話番号を指定したときに（ステップＳ２０１でＹｅｓ）、その電話番号が電話帳記憶部１０の電話番号記憶部１０２に記憶されていれば、その電話番号に対応付けてメールアドレス記憶部１０３に記憶されているメールアドレスがメールアドレス読出部２８により読み出される（ステップＳ２０２）。ユーザによる電話番号の指定は、ユーザが操作部５を操作して電話番号を直接入力することにより行われてもよいし、ユーザが操作部５を操作して電話帳記憶部１０の電話番号記憶部１０２から電話番号を読み出すことにより行われてもよい。
【００５０】
メールアドレス読出部に２８より読み出されたメールアドレスが、受信メール情報格納部９のメールアドレス格納部９３に格納されている場合、すなわち、当該メールアドレスから既に受信している電子メールがある場合には（ステップＳ２０３でＹｅｓ）、そのメールアドレスから既に受信している電子メールのタイトルとしてタイトル格納部９２に格納されているタイトルのうち最新のものがタイトル選択部２２Ａにより選択され、タイトル格納部９２から読み出される（ステップＳ２０４）。
【００５１】
ここで、メールアドレス読出部２８により読み出されたメールアドレスから既に受信している電子メールが複数ある場合には、それらの電子メールのうち最新の電子メールのタイトルがタイトル格納部９２から読み出されるものとし、当該メールアドレスから既に受信している電子メールが１つである場合には、その電子メールのタイトルがタイトル格納部９２から読み出されるものとする。
【００５２】
文字情報生成部２２は、タイトル格納部９２から読み出されたタイトルを文字情報として選択し（ステップＳ２０５）、その後にユーザが操作部５を操作することにより、指定された電話番号へ呼出信号が発信されると（ステップＳ２０６でＹｅｓ）、選択された文字情報が着信文字として指定された電話番号へ送信される（ステップＳ２０７）。
【００５３】
一方、メールアドレス読出部２８により読み出されたメールアドレスが、受信メール情報格納部９のメールアドレス格納部９３に格納されていない場合、すなわち、当該メールアドレスから既に受信している電子メールがない場合には（ステップＳ２０３でＮｏ）、ユーザが操作部５を操作することにより文字情報を直接入力するための文字情報入力画面が表示部４に表示される（ステップＳ２０８）。その後にユーザが操作部５を操作することにより、指定された電話番号へ呼出信号が発信されると（ステップＳ２０６でＹｅｓ）、文字情報入力画面において入力された文字情報が着信文字として指定された電話番号へ送信される（ステップＳ２０７）。
【００５４】
本実施の形態では、呼出信号の発信時に、発信先電話機の電話番号に対応するメールアドレスから既に受信している電子メールに含まれるタイトルを文字情報として選択し、送信することができる。特に、発信先電話機の電話番号を指定する操作を行うだけで、その発信先電話機から既に受信している電子メールのうち、最新の電子メールのタイトルを文字情報として自動的に送信することができるので、入力操作をさらに簡略化できる。
【００５５】
実施の形態３．
実施の形態２では、発信先電話機の電話番号が指定された場合に、その電話番号に対応するメールアドレスを電話帳記憶部１０から読み出し、そのメールアドレスから既に受信している電子メールのうち最新の電子メールに含まれるタイトルが文字情報として選択され、送信されるような構成について説明した。これに対して、実施の形態３では、指定された電話番号に対応するメールアドレスから既に受信している電子メールが複数ある場合に、それらの電子メールのタイトルをタイトル表示画面として表示部４に表示させ、それらのタイトルの中からユーザ操作に基づいて指定されたタイトルが文字情報として選択され、送信されるようになっている。
【００５６】
図９は、本発明の実施の形態３において文字情報生成部２２が文字情報を生成する際の動作の一例を示したブロック図である。また、図１０は、本発明の実施の形態３において文字情報送受信部３２から文字情報が送信される際の処理の一例を示したフローチャートである。実施の形態３では、制御部２にタイトル表示制御部２９及びタイトル指定部３０が備えられている点、及び、文字情報生成部２２が行う処理が実施の形態２とは相違しているが、他の構成については実施の形態２と同様である。
【００５７】
図９及び図１０に示すように、ユーザによる操作部５の操作に基づいて電話番号指定部２６が電話番号を指定したときに（ステップＳ３０１でＹｅｓ）、その電話番号が電話帳記憶部１０の電話番号記憶部１０２に記憶されていれば、その電話番号に対応付けてメールアドレス記憶部１０３に記憶されているメールアドレスがメールアドレス読出部２８により読み出される（ステップＳ３０２）。ユーザによる電話番号の指定は、ユーザが操作部５を操作して電話番号を直接入力することにより行われてもよいし、ユーザが操作部５を操作して電話帳記憶部１０の電話番号記憶部１０２から電話番号を読み出すことにより行われてもよい。
【００５８】
メールアドレス読出部２８により読み出されたメールアドレスが、受信メール情報格納部９のメールアドレス格納部９３に格納されている場合、すなわち、当該メールアドレスから既に受信している電子メールがある場合には（ステップＳ３０３でＹｅｓ）、その既に受信している電子メールが複数あるかどうかを判定する（ステップＳ３０４）。
【００５９】
メールアドレス読出部２８により読み出されたメールアドレスから既に受信している電子メールが複数ある場合には（ステップＳ３０４でＹｅｓ）、そのメールアドレスに対応付けてタイトル格納部９２に格納されている複数のタイトルが読み出され、それらのタイトルがタイトル表示制御部２９によりタイトル表示画面として表示部４に表示される（ステップＳ３０５）。
【００６０】
図１１は、タイトル表示制御部２９が表示部４に表示させるタイトル表示画面の一例を示した図である。図１１に示すように、タイトル表示画面には、メールアドレス読出部２８により読み出されたメールアドレスに対応付けてタイトル格納部９２に格納されている複数のタイトルが表示される。この例では、複数のタイトルの１つとして、「おはようございます。」というタイトルがタイトル表示画面に表示されている。当該メールアドレスに対応する相手方の名前が名前記憶部１０１に記憶されている場合には、その相手方の名前も表示部４に表示されることとなる。
【００６１】
ここで、タイトル表示画面には、メールアドレス読出部２８により読み出されたメールアドレスに対応付けてタイトル格納部９２に格納されている複数のタイトルがすべて表示されるようになっていてもよいし、そのメールアドレスに対応付けてタイトル格納部９２に格納されている複数のタイトルのうち、最新のものから順に一定数まで表示できるようになっていてもよい。
【００６２】
図１１の例に示すようなタイトル表示画面において、ユーザが操作部５を操作することによりいずれかのタイトルを選択すると、そのタイトルがタイトル指定部３０により指定され（ステップＳ３０６でＹｅｓ）、タイトル格納部９２から読み出される（ステップＳ３０７）。文字情報生成部２２のタイトル選択部２２Ａは、タイトル格納部９２から読み出されたタイトルを文字情報として選択し（ステップＳ３０８）、その後にユーザが操作部５を操作することにより、指定された電話番号へ呼出信号が発信されると（ステップＳ３０９でＹｅｓ）、選択された文字情報が着信文字として指定された電話番号へ送信される（ステップＳ３１０）。
【００６３】
これに対して、メールアドレス読出部２８により読み出されたメールアドレスから既に受信している電子メールが１つである場合には（ステップＳ３０４でＮｏ）、そのメールアドレスに対応付けてタイトル格納部９２に格納されている１つのタイトルが読み出されるようになっている（ステップＳ３０７）。
【００６４】
一方、メールアドレス読出部２８により読み出されたメールアドレスが、受信メール情報格納部９のメールアドレス格納部９３に格納されていない場合、すなわち、当該メールアドレスから既に受信している電子メールがない場合には（ステップＳ３０３でＮｏ）、ユーザが操作部５を操作することにより文字情報を直接入力するための文字情報入力画面が表示部４に表示される（ステップＳ３１１）。その後にユーザが操作部５を操作することにより、指定された電話番号へ呼出信号が発信されると（ステップＳ３０９でＹｅｓ）、文字情報入力画面において入力された文字情報が着信文字として指定された電話番号へ送信される（ステップＳ３１０）。
【００６５】
本実施の形態では、呼出信号の発信時に、発信先電話機の電話番号に対応するメールアドレスから既に受信している電子メールに含まれるタイトルを文字情報として選択し、送信することができる。特に、発信先電話機の電話番号を指定する操作を行うことにより、その発信先電話機から既に受信している電子メールのタイトルを複数表示させ、それらのタイトルのいずれかを文字情報として選択して送信することができるので、入力操作をさらに簡略化できる。
【００６６】
以上の実施の形態では、電話機の一例である携帯電話機に本発明を適用した場合について説明したが、本発明は、携帯電話機のように無線電話回線を介して信号を送受信することにより通話を行うことができるような電話機に限らず、有線電話回線に接続される家庭用の電話機などにも適用可能である。
【００６７】
また、文字情報送受信部３２は、電話機から受信した電子メールに限らず、パーソナルコンピュータなどの電子メールを送信可能な他の端末装置から受信した電子メールのタイトルを、他の電話機への呼出信号の発信時に着信文字として送信することもできる。
【図面の簡単な説明】
【００６８】
【図１】本発明の実施の形態１による電話機の一例を示したブロック図であり、電話機の一例として携帯電話機が示されている。
【図２】呼出信号の着信時に着信文字を受信した場合における表示部の表示態様の一例を示した図である。
【図３】着信情報閲覧画面表示制御部が表示部に表示させる着信情報閲覧画面の一例を示した図である。
【図４】メール閲覧画面表示制御部が表示部に表示させるメール閲覧画面の一例を示した図である。
【図５】文字情報生成部が文字情報を生成する際の動作の一例を示したブロック図である。
【図６】文字情報送受信部から文字情報が送信される際の処理の一例を示したフローチャートである。
【図７】本発明の実施の形態２において文字情報生成部が文字情報を生成する際の動作の一例を示したブロック図である。
【図８】本発明の実施の形態２において文字情報送受信部から文字情報が送信される際の処理の一例を示したフローチャートである。
【図９】本発明の実施の形態３において文字情報生成部が文字情報を生成する際の動作の一例を示したブロック図である。
【図１０】本発明の実施の形態３において文字情報送受信部から文字情報が送信される際の処理の一例を示したフローチャートである。
【図１１】タイトル表示制御部が表示部に表示させるタイトル表示画面の一例を示した図である。
【符号の説明】
【００６９】
１  携帯電話機
２  制御部
３  通信部
４  表示部
５  操作部
６  受話用レシーバ
７  送話用マイクロホン
８  着信情報格納部
９  受信メール情報格納部
１０  電話帳記憶部
２１  電話信号生成部
２２  文字情報生成部
２２Ａ  タイトル選択部
２３  メール生成部
２４  着信情報閲覧画面表示制御部
２５  メール閲覧画面表示制御部
２６  電話番号指定部
２７  メールアドレス指定部
２８  メールアドレス読出部
２９  タイトル表示制御部
３０  タイトル指定部
３１  電話信号送受信部
３２  文字情報送受信部
３３  メール送受信部
８１  着信履歴格納部
８２  着信文字格納部
９１  メール本文格納部
９２  タイトル格納部
９３  メールアドレス格納部
１０１  名前記憶部
１０２  電話番号記憶部
１０３  メールアドレス記憶部
【図１】
0004493617.tif 000002
【図２】
0004493617.tif 000003
【図３】
0004493617.tif 000004
【図４】
0004493617.tif 000005
【図５】
0004493617.tif 000006
【図６】
0004493617.tif 000007
【図７】
0004493617.tif 000008
【図８】
0004493617.tif 000009
【図９】
0004493617.tif 000010
【図１０】
0004493617.tif 000011
【図１１】
0004493617.tif 000012